(57)【要約】【課題】圧縮端子を板材から製作し、圧縮接続部の圧縮部を断面Ｃ型にし、より多くの径の電線の撚線導体を挿入して接続出来、さらにコストを抑えることが出来る圧縮端子を提供する。【解決手段】一端が圧縮接続部、他端が羽子板端子部から成る圧縮端子において、素材を板状とし、上記羽子板端子部にはボルト孔を設け、上記圧縮接続部１は板を丸めた垂直断面Ｃ型で開口部を上向きにし、両側の立ち上がり部１ａ、１ｂを相対向して内側に湾曲させ、一方の立ち上がり部１ａの先端と他方の立ち上がり部１ｂの先端とが上下で重なり合っていることとした。【選択図】図１
0003207597.tif 000002
【実用新案登録請求の範囲】
【請求項１】
一端が圧縮接続部、他端が羽子板端子部から成る圧縮端子において、
素材を板状とし、上記羽子板端子部には取付孔を設け、
上記圧縮接続部は板を丸めた垂直断面Ｃ型で開口部を上向きにし、両側の立ち上がり部を相対向して内側に湾曲させ、一方の立ち上がり部の先端と他方の立ち上がり部の先端とが上下で重なり合っていることを特徴とする、圧縮端子。
【請求項２】
上記一方の立ち上がり部の先端の内側に位置する上記他方の立ち上がり部の先端をクサビ形状としていることを特徴とする、上記請求項１に記載の圧縮端子。
【請求項３】
上記羽子板端子部の上面長手方向の相対向する各端縁を一定長立ち上げて外壁を夫々設け、当該羽子板端子部の断面を上向きのコの字状に形成したことを特徴とする、上記請求項１又は２の何れかに記載の圧縮端子。
【考案の詳細な説明】
【技術分野】
【０００１】
この考案は、電線と電線やその他の導体とを電気的に接続する際に使用する圧縮端子に関するものである。
【背景技術】
【０００２】
従来、電線と電線やその他の導体とを接続する電線接続具として、図８乃至図１１に示す様な、圧縮端子Ｃが使用されている。この圧縮端子Ｃは、一端にパイプ形状の圧縮接続部２１と、他端に、平板に一つ又は二つ以上のボルト孔２２ａを設けた羽子板端子部２２から成る。上記圧縮接続部２１の内側の中空内に、接続する電線の一端の被覆を剥がし、露出した撚線導体を挿入し、この圧縮接続部２１の外側から圧縮工具などを使って圧縮して接続し、接続するものが電線の場合は、上記羽子板端子部２２に他の圧縮端子の羽子板端子部を重ねてボルトとナットで螺着して接続している。
【０００３】
この様なものとして特許文献１に記載されたものがある。（特許文献１の従来例図９及び図１０参照）。
【先行技術文献】
【特許文献】
【０００４】
【特許文献１】実公平６−３１６５７号公報
【考案の概要】
【考案が解決しようとする課題】
【０００５】
しかしながら、従来の圧縮端子は、パイプ材を使用し、当該パイプ材を潰して板状にして羽子板端子部を形成し、また、圧縮接続部には別の工程で圧縮表示線を刻印する必要があった。この為、素材自体の価格が高く、加工に多くの工程が必要で高額な製品となっていた。
【０００６】
また、上記圧縮端子の圧縮接続部は、パイプ形状であり、このパイプ形状の内径と極端に小さい径の撚線導体は挿入出来ても、圧縮時に隙間が出来、確実な圧縮が難しく、基本的にはパイプ形状に合った径の電線しか接続することが出来ない。
【０００７】
この考案は、これらの点に鑑みて為されたもので、圧縮端子を板材から製作し、圧縮接続部の圧縮部を断面Ｃ型にし、より多くの径の電線の撚線導体を挿入して接続出来、さらにコストを抑えることが出来る圧縮端子を提供して上記課題を解決するものである。
【課題を解決するための手段】
【０００８】
請求項１の考案は、一端が圧縮接続部、他端が羽子板端子部から成る圧縮端子において、素材を板状とし、上記羽子板端子部には取付孔を設け、上記圧縮接続部は板を丸めた垂直断面Ｃ型で開口部を上向きにし、両側の立ち上がり部を相対向して内側に湾曲させ、一方の立ち上がり部の先端と他方の立ち上がり部の先端とが上下で重なり合っている、圧縮端子とした。
【０００９】
請求項２の考案は、上記一方の立ち上がり部の先端の内側に位置する上記他方の立ち上がり部の先端をクサビ形状としている、上記請求項１に記載の圧縮端子とした。
【００１０】
請求項３の考案は、上記羽子板端子部の上面長手方向の相対向する各端縁を一定長立ち上げて外壁を夫々設け、当該羽子板端子部の断面を上向きのコの字状に形成した、上記請求項１又は２の何れかに記載の圧縮端子とした。
【考案の効果】
【００１１】
請求項１及び２の各考案によれば、当該圧縮端子は、板材を使用しており、また、圧縮表示線も一連の製作工程の中で形成することが出来る。その為、製造が容易で、コストを抑えることが出来る。
【００１２】
また、一方の立ち上がり部の先端に対して他方の立ち上がり部の先端を内側に曲げて形成しているので、上記圧縮接続部に電線の一端を挿入し、外側から圧縮した際、上記一方の立ち上がり部及び上記他方の立ち上がり部の各内側面が上記電線に密着して当該電線を巻込んで確実かつ強固に固着することが出来、従来のパイプ状の圧縮接続部より対応出来る電線のサイズが多くなり、便利である。
【００１３】
特に、請求項２の考案では、他方の立ち上がり部の先端をクサビ形状に形成しているので、一方の立ち上がり部の内側に入り易く、より巻込み圧縮がし易いものである。
【００１４】
また、請求項３の考案によれば、羽子板端子部の上面長手方向の相対向する各端縁を一定長立ち上げて外壁を設け、この羽子板端子部の断面を上向きのコの字状に形成しているので、機械的な強度を確保できる。
【図面の簡単な説明】
【００１５】
【図１】この考案の実施の形態例の圧縮端子の圧縮接続部の中に撚線導体を入れた状態の説明断面図である。
【図２】この考案の実施の形態例の圧縮端子の平面図である。
【図３】この考案の実施の形態例の圧縮端子の正面図である。
【図４】この考案の実施の形態例の圧縮端子の圧縮接続部の端面図である。
【図５】この考案の実施の形態例の圧縮端子の羽子板端子部の端面図である。
【図６】この考案の実施の形態例の圧縮端子を使って電線の撚線導体を接続固定した状態の端面図である。
【図７】この考案の実施の形態例の圧縮端子を使って径の小さい電線の撚線導体を接続固定した状態の端面図である。
【図８】従来の圧縮端子の平面図である。
【図９】従来の圧縮端子の正面図である。
【図１０】従来の圧縮端子の圧縮接続部の端面図である。
【図１１】従来の圧縮端子の羽子板端子部の端面図である。
【考案を実施するための形態】
【００１６】
（実施の形態例）
以下、この考案の実施の形態例の圧縮端子を図に基づいて説明する。この実施の形態例の圧縮端子Ａは、板材を加工して形成されたもので、略円筒状の圧縮接続部１と板状の羽子板端子部２とから構成されている。そして、図２、３、４及び図５に示す様に、圧縮接続部１は垂直断面Ｃ型で開口部を上向きにしたもので、両方の立ち上がり部１ａ、１ｂを相対向して内側に湾曲させ、先端部を上下で重ね合せて形成している。この実施の形態例では立ち上がり部１ａ、１ｂの各先端部は重なり合っているが相互に間隔をあけている。
【００１７】
そして、一方の立ち上がり部１ａの先端の下面に向けて他方の立ち上がり部１ｂの先端をクサビ形状にして形成している。また、この圧縮接続部１の外周には複数の圧縮表示線１ｃが設けられている。上記クサビ形状とは、先端に向かって細くなった形状を言う。
【００１８】
また、上記羽子板端子部２の上面長手方向の相対向する各端縁を一定長立ち上げて外壁２ａを夫々設け、この羽子板端子部２の断面を上向きコの字状に形成し、また、接続の際に使用するボルト孔２ｂを二つ設けている。
【００１９】
次に、この圧縮端子Ａを用いた電線Ｂの接続方法を説明する。接続する電線Ｂの一端の被覆を剥ぎ、図１に示すように、露出した撚線導体１１部分を上記圧縮接続部１の中空内に挿入する。この状態で、この圧縮接続部１を圧縮工具などで圧縮する（図示省略）。
【００２０】
この時、上記圧縮接続部１の二つの立ち上がり部１ａ、１ｂは相互に近接するように動き、さらに、圧縮すると、図６に示すように、上記他方の立ち上がり部１ｂのクサビ形状の先端が上記一方の立ち上がり部１ａの先端の内側面に入り込んで上記Ｃ型の中空部を塞ぎ、続けて圧縮するとこの他方の立ち上がり部１ｂ及び上記一方の立ち上がり部１ａの各内側面が上記撚線導体１１に密着してこの撚線導体１１を巻込んで圧縮接続部１に固着する。
【００２１】
この実施の形態例の圧縮端子の圧縮接続部１では、相対向する立ち上がり部１ａ、１ｂが電線を巻込んで固着するので、図７に示すように、この圧縮接続部１の中空の内径より小さい、通常の圧縮端子では接続できない径の電線Ｄの撚線導体１２でも確実に固着することが出来る。
【００２２】
また、この圧縮端子Ａの羽子板端子部２については、平板状の羽子板端子部を備えた端子等と接続する場合について説明すると、羽子板端子部２の裏面に接続する端子の羽子板端子部を重ねてボルト孔２ｂ等の位置を合わせ、これに一方からボルトを嵌め込み、他方からナットを螺着して接続する（図示省略）。
【００２３】
この実施の形態例の圧縮端子Ａを用いると、圧縮接続部１を垂直断面Ｃ型に形成し、一方の立ち上がり部の先端と他方の立ち上がり部の先端とが上下で重合しているので、このＣ型の圧縮接続部１の中空の中に入る電線ならば、上記相対向する立ち上がり部１ａ、１ｂが電線を巻込んで圧縮接続するので、従来のパイプ状の圧縮接続部より対応出来る電線のサイズが多くなり、便利である。
【００２４】
また、一方の立ち上がり部１ａの先端に対して他方の立ち上がり部１ｂの先端をクサビ形状で内側に曲げて形成しているので、この上記圧縮接続部１に電線Ｂの一端の撚線導体１１を挿入し、外側から圧縮した際、当該他方の立ち上がり部１ｂの先端が上記立ち上がり部１ａの内側に入り易く、これにより上記一方の立ち上がり部１ａ及び上記他方の立ち上がり部１ｂの各内側面が上記電線の撚線導体１１に密着して当該撚線導体１１を巻込んで、より確実かつ強固に固着することが出来る。
【００２５】
この実施の形態例では、圧縮端子Ａを板材から製作することにより、製造工程に、順送プレスやラインペーサーを使用することができ、製造費用を安価にすることが出来る。
【００２６】
また、圧縮接続部１を板材から形成しても圧縮強度を維持し、接続性能を確保出来る。
【００２７】
上記実施の形態例では、圧縮端子Ａを板材を加工して形成しているが、板材の他、板状のコイル材を加工して圧縮端子を形成しても良い。
【００２８】
なお、上記実施の形態例では、一方の立ち上がり部１ａの先端の内側に位置する立ち上がり部１ｂの先端のみをクサビ形状としているが、立ち上がり部１ａ、１ｂの両方の先端を夫々クサビ形状としても良く、また、これらの両方の立ち上がり部１ａ、１ｂの各先端をクサビ形状としなくても良い。
【００２９】
また、上記実施の形態例では、一方の立ち上がり部１ａと他方の立ち上がり部１ｂの各先端を相互に間隔をあけて設けているが、重合して相互に当接しても良い。さらに、上記実施の形態例では、羽子板端子部２に設ける取付孔としてボルト孔２ｂを設け、ボルトとナットにより取り付けるようにしているが、取付部材としてはボルトとナットに限るものでは無く、他のものでも良い。このため、当該ボルト孔２ｂは、他の部材をも通すことが出来る取付孔としても良い。
【符号の説明】
【００３０】
Ａ    圧縮端子                    Ｂ    電線
Ｄ    電線
１    圧縮接続部                  １ａ  立ち上がり部
１ｂ  立ち上がり部                １ｃ  圧縮表示線
２    羽子板端子部                ２ａ  外壁
２ｂ  ボルト孔
１１    撚線導体                  １２    撚線導体
【図１】
0003207597.tif 000003
【図２】
0003207597.tif 000004
【図３】
0003207597.tif 000005
【図４】
0003207597.tif 000006
【図５】
0003207597.tif 000007
【図６】
0003207597.tif 000008
【図７】
0003207597.tif 000009
【図８】
0003207597.tif 000010
【図９】
0003207597.tif 000011
【図１０】
0003207597.tif 000012
【図１１】
0003207597.tif 000013